(57)【要約】      （修正有）【課題】包装入り食品を容易に開封できる包装構造を提供する。【解決手段】プラスチックフィルム製の一対のシート１Ａ、１Ｂを重ね合わせ、両側辺を横断する頂部封止用接着線２Ａにより各シートの先端所定範囲をタブ部分４Ａ、４Ｂとして残した状態で各シート同士を接着した頂部封止部と、頂部封止部より後方の各シートの両側辺同士を接着した側面封止部３Ａ、３Ｂにより３方を封止した袋体を構成し、カットテープ１０をその一端が頂部封止用接着線を越えてタブ部分に設けた切り込みによる引き起し片Ｓに達するように何れかのシートの裏側に接着した構成からなる袋体Ｐと、上記袋体内に挿入することにより、袋体をその外形に沿った板状の立体形状に拡げる固形の食品からなる包装入り食品において、タブ部分のカットテープによる切り取り予定個所の両側に、引き裂きのきっかけを与えるための切り抜き部６、６を頂部封止用接着線に近接して配する。【選択図】図１
0003144906.tif 000002
【実用新案登録請求の範囲】
【請求項１】
プラスチックフィルム製の一対のシートを重ね合わせ、両側辺を横断する頂部封止用接着線により各シートの先端所定範囲をタブ部分として残した状態で各シート同士を接着した頂部封止部と、頂部封止部より後方の各シートの両側辺同士を接着した側面封止部により３方を封止した袋体を構成し、カットテープをその一端が頂部封止用接着線を越えてタブ部分に設けた切り込みによる引き起し片に達するように何れかのシートの裏側に接着した構成からなる袋体と、上記袋体内に挿入することにより、袋体をその外形に沿った板状の立体形状に拡げる固形の食品からなる包装入り食品において、タブ部分のカットテープによる切り取り予定個所の両側に、引き裂きのきっかけを与えるための切り抜き部を頂部封止用接着線に近接して配したことを特徴とする包装入り食品。
【請求項２】
タブ部分のカットテープによる切り取り予定個所の両側において、頂部封止用接着線の前後幅を狭めて段差を生じさせ、この段差箇所に引き裂きのきっかけを与えるための切り抜き部を配した請求項１記載の包装入り食品。
【請求項３】
接着手段はヒートシールである請求項１または２記載の包装入り食品。
【請求項４】
引き裂きのきっかけを与えるための切り抜き部は、シートを貫通する線状の切り抜きである請求項１から３のいずれかに記載の包装入り食品。
【考案の詳細な説明】
【技術分野】
【０００１】
この考案は、プラスチックフィルム製の包装袋に収容されたサンドイッチなどの包装入り食品に関する。
【背景技術】
【０００２】
両側辺が先端に向かって幅狭となるプラスチックフィルム製の一対のシートを重ね合わせ、各シートの先端所定範囲をタブ部分として残した状態で、両側辺を横断する頂部封止用接着線により各シート同士を接着した頂部封止部と、頂部封止部より後方の各シートの両側辺同士を接着した側面封止部により３方を封止した袋体がサンドイッチの包装袋として公知である（特許文献１）。
【０００３】
前記の公知発明においては、袋体内に三角形のサンドイッチを挿入することにより、対向する一対の斜面の厚みが頂部封止部の幅により規定される板状の三角形に袋体が立体的に拡げられる。この場合、サンドイッチの取り出しのための袋体の切り裂き手段として、カットテープをその一端が頂部封止用接着線を越えてタブ部分に設けた切り込みによる引き起し片に達するように何れかのシートの裏側に接着している。この公知発明においては、タブ部分に設けた引き起し片をカットテープごと指先で摘んで引っ張り上げることによりカットテープに沿って規定される方向、即ち袋体の斜面全長方向に沿ってシートが切り取られる作用を生じる。
【特許文献１】実開平７−８２３８号公報
【考案の開示】
【考案が解決しようとする課題】
【０００４】
前記の包装袋を使用した包装入りサンドイッチにおいては、袋体は斜面全長方向に沿ってシートが切り取られるので、切り取りにより生じた窓部からサンドイッチを引き出すことが可能となる。
【０００５】
ところで、現実の需要者においてはそれだけでは足りず、切り取りにより生じた窓部を境として袋体を左右に広げてサンドイッチを取り出しやすくしようと試みることが多々ある。
【０００６】
しかしながら、袋体は重ね合わされたシート同士が頂部封止用接着線により強力に接着されており、切り取りにより生じた窓部により一方のシートが２分されたとしても、２分されたシートは依然重ね合わされたシートに接着されているので、２分されたシートを左右に引っ張っても接着部分に規制されてうまく広がらず、逆に不規則に引き裂かれることによりサンドイッチの端面からはみ出した内容物が手などに付着するおそれがあった。
【課題を解決するための手段】
【０００７】
この考案は以上の従来技術の問題点を解消した包装入り食品を提供することを目的として創作されたものであり、プラスチックフィルム製の一対のシートを重ね合わせ、両側辺を横断する頂部封止用接着線により各シートの先端所定範囲をタブ部分として残した状態で各シート同士を接着した頂部封止部と、頂部封止部より後方の各シートの両側辺同士を接着した側面封止部により３方を封止した袋体を構成し、カットテープをその一端が頂部封止用接着線を越えてタブ部分に設けた切り込みによる引き起し片に達するように何れかのシートの裏側に接着した構成よりなる袋体と、上記袋体内に挿入することにより、袋体をその外形に沿った板状の立体形状に拡げる固形の食品からなる包装入り食品において、タブ部分のカットテープによる切り取り予定個所の両側に、引き裂きのきっかけを与えるための切り抜き部を頂部封止用接着線に近接して配したことを特徴とする。
【０００８】
また、ここでは第２考案として、前記の包装入り食品においてタブ部分のカットテープによる切り取り予定個所の両側において、頂部封止用接着線の前後幅を狭めて段差を生じさせ、この段差箇所に引き裂きのきっかけを与えるための切り抜き部を配した考案も開示する。
【考案の効果】
【０００９】
よって、この考案によれば、切り取りにより生じた窓部を境として袋体の一方のシートを左右に引っ張れば、切り抜き部がタブ部分のカットテープによる切り取り予定個所の両側に頂部封止用接着線に近接して配されているので、これが引き裂きのきっかけとなってシートは頂部封止用接着線に沿って引き裂かれ容易に左右に開くことができ、広い開口部が出現することとなる（図６、７参照）。
【００１０】
また、この場合、切り抜き部は３方を封止した袋体ではなく、袋体の外のタブ部分に設けられるので、袋体の密閉性を損なうことない。よって、異物の混入や食品の劣化の心配なく、広い開口部を得られる包装入り食品を実現できる。
【００１１】
一方、頂部封止用接着線の前後幅を狭めて段差を生じさせ、この段差箇所に引き裂きのきっかけを与えるための切り抜き部を配した第２考案によれば、切り取りにより生じた窓部を境として袋体の一方のシートを左右に引っ張った際の応力はこの段差部分に集中することから、より効果的な引き裂きのきっかけ作用が生じることとなる。
【考案を実施するための最良の形態】
【００１２】
以下、この考案の具体的実施例を添付図面に基づいて説明する。ここでは食品として三角形のサンドイッチを例にとるが、食品はこれに限られないことはいうまでもない。図２にこの考案の包装入り食品に使用する袋体Ｐを構成する各部材を展開状態で示す。この袋体はプラスチックフィルム製の一対のシート１Ａ、１Ｂと、シート１Ａの裏面（袋の内面側）に接着されるカットテープ１０により構成される。一対のシート１Ａ、１Ｂは両側辺が先端に向かって幅狭となる台形又は台形類似の形状に構成され、三方を封止して袋体とした後、この袋体が立体的に拡げられる。
【００１３】
この場合、袋体を構成するにあたりシートの先端所定範囲が袋部分を構成しないタブ部分４Ａ、４Ｂとして残されると共に、シートの後端が食品を差し入れるための開口として残される。具体的には、タブ部分４Ａ、４Ｂの開始地点においてシートの両側辺を横断する線に沿って各シート同士を接着する頂部封止用接着線２Ａ、２Ｂが設けられると共に、この頂部封止部より後方の各シートの両側辺同士を接着した側面封止部３Ａ、３Ｂが設けられることにより袋体の三方の封止部とされる。そして、折れ目Ａ１、Ａ１及びＢ１、Ｂ１をもって、対向する一対の斜面Ａ及びＢの厚みが頂部封止部２Ａ、２Ｂの幅により規定され、側面Ｃ、Ｃが三角形をなす板状の三角形にこの袋体を拡げることによって袋体の基本形が完成する（図１参照）。なお、この考案の実施例においては接着手段としてヒートシールを採用する。
【００１４】
上記の製袋工程において、カットテープ１０（ここではプラスチックフィルム製のものを採用）が一方のシート１Ａの裏面に接着される。このカットテープ１０はその一端が頂部封止用接着線２Ａ、２Ｂを越えてタブ部分４Ａ、４Ｂに設けた切り込みによる引き起し片Ｓに達するように配される。上記の引き起し片Ｓは、ここではシート１ＡをＵ字状に切り込むことにより得ているが、形状はこれに限らず、例えばシート端にカットテープの始端より広い間隔をもった一対の切り込みを設けたものであってもよいことは勿論である。なお、カットテープおよび引き起し片による易開封手段はシート１Ａでなく、１Ｂ側に配されてもよいことは勿論である。
【００１５】
図３は前記のタブ部分付近の詳細を示す図である。この実施例においてはタブ部分４Ａ（４Ｂ）のカットテープ１０による切り取り予定個所の両側において、頂部封止用接着線２Ａ（２Ｂ）の前後幅を狭めて幅狭部Ｄ２とすることにより幅広部Ｄ２との間に段差を生じさせ、この段差箇所に引き裂きのきっかけを与えるための切り抜き部６、６を配している。この実施例においては、上記の切り抜き部６、６はシート１Ａを貫通する複数本の短い線状の切り抜きとしているが、本数は１本でもよく、その形状や本数は図示のものに限られないことは勿論である。
【００１６】
また、この実施例においては、挿入された食品の端面に接すべきプラスチックフィルム製の帯状片５がシート１Ｂの裏面に配される。
【００１７】
以上の工程により基本形が完成した袋体Ｐには例えばサンドイッチ等の食品Ｆが後部の開口から差し入れられた後、食品後端から袋体後端の開口部にかけた袋体の余剰部を折り畳んで粘着テープ等により封止して包装が完了する。
【００１８】
この袋体の開封に当たっては、カットテープ１０が接着されている側のシート１Ａのタブ４Ａの引き起し片Ｓを摘んで引っ張り上げることにより（図４参照）、これに接着されているカットテープも引っ張り上げられることによりシートはそのままカットテープに沿って切り裂かれながら中央部分が切り取られる（図５参照）。
【００１９】
次いで、切り取りにより生じた窓部を境として袋体の一方のシート１Ａを左右に引っ張れば、切り抜き部６、６がきっかけとなってシートは頂部封止用接着線２Ａに沿って引き裂かれ容易に左右に開くことができ、広い開口部が出現することとなる（図６、７参照）。なお、図７にはシート１Ａを袋体Ｐの後端箇所においても引き離して完全に開いた状態を示している。
【図面の簡単な説明】
【００２０】
【図１】この考案の包装入り食品の斜視図。
【図２】同上、構成部材の組み立て前の状態を示す斜視図。
【図３】同上、要部の平面図。
【図４】同上、開封過程を示す斜視図。
【図５】同上、開封過程を示す斜視図。
【図６】同上、開封過程を示す斜視図。
【図７】同上、開封状態を示す斜視図。
【符号の説明】
【００２１】
Ｐ      袋体
Ｆ      食品
Ｓ      引き起し片
１Ａ    シート
１Ｂ    シート
２Ａ    頂部封止用接着線
２Ｂ    頂部封止用接着線
４Ａ    タブ
４Ｂ    タブ
６      切り抜き部
１０    カットテープ
【図１】
0003144906.tif 000003
【図２】
0003144906.tif 000004
【図３】
0003144906.tif 000005
【図４】
0003144906.tif 000006
【図５】
0003144906.tif 000007
【図６】
0003144906.tif 000008
【図７】
0003144906.tif 000009